(57)【要約】【課題】鏡板を高位置に引き上げて使用できる携帯用鏡を提供する。【解決手段】中空の台部材１と、台部材１の下端に回動自在に枢結された受け部材２と、台部材１に上下動自在に装備された平板状の支持部材３と、前面に鏡板４を有する鏡枠５とを含む。台部材１の後方に受け部材２を回動したとき、受け部材２で机上に台部材１を後傾の起立姿勢に受け止めることができる。支持部材３は、台部材１の内部に納まる退入姿勢と、台部材１の上方に引き上げられた突出姿勢との間にわたって切り換え操作可能である。支持部材３の上端に鏡枠５の下端が回動操作可能に連結されている。台部材１の前面に受け部材２が折り畳み可能であり、支持部材３を退入姿勢にした状態において、鏡枠５が台部材１の前面に折り畳んだ受け部材２上に折り重ね可能である。【選択図】図１
2005152085.tif 000002
【特許請求の範囲】
【請求項１】
台部材１と、机上に台部材１を後傾の起立姿勢に受け止めるための受け部材２と、支持部材３と、前面に鏡板４を有する鏡枠５とを含み、
台部材１に受け部材２が台部材１の前面または後面に折り畳み可能に付設されていること、
台部材１に支持部材３が上下動自在に装備されていること、
支持部材３に鏡枠５が支持部材３の前面側に倒れる姿勢と支持部材３の上方に起立する姿勢とにわたって回動操作可能に連結されていること、
支持部材３を退入姿勢にした状態において、鏡枠５が台部材１の前面側に折り重ね可能であることを特徴とする携帯用鏡。
【請求項２】
前後厚みが小さくて上面６が開口する扁平な四角形の中空ケースに形成された台部材１と、
机上に台部材１を後傾の起立姿勢に受け止めるために、台部材１の下端に回動自在に枢結された受け部材２と、
台部材１に対して、台部材１の内部に納まる退入姿勢と、台部材１の上方に引き上げられた突出姿勢との間にわたって上下動自在に装備された支持部材３と、
前面に鏡板４を有する鏡枠５とを含み、
支持部材３の上端に鏡枠５の下端が開閉操作可能に連結されていること、
台部材１の前面に受け部材２が折り畳み可能であること、
支持部材３を退入姿勢にした状態において、鏡枠５が台部材１の前面に折り畳んだ受け部材２上に折り重ね可能であることを特徴とする携帯用鏡。
【請求項３】
支持部材３の上端に受け片１１が前方に向けて一体に突出形成されており、
受け片１１の前端に鏡枠５の下端が回動自在に枢結されている請求項１又は２記載の携帯用鏡。
【発明の詳細な説明】
【技術分野】
【０００１】
本発明は、折り畳み可能な携帯用鏡に関する。
【背景技術】
【０００２】
携帯用鏡として、二つ折りタイプが一般に知られている。そこでは、鏡板を有する台を起伏揺動自在に枢着し、不使用時には台の上面に鏡枠を重ねることにより、鏡板を保護する。使用時には台を机上に置いて鏡枠を起立姿勢に開くようになっている。図５に示す本発明の第１の使用形態に相当する。しかし、この形態では、鏡板の高さ位置を調節できないため、使用者が自らの顔を鏡板に近付けて見るためには、体を屈めて顔の位置を動かさなければならない。
【０００３】
そこで、特許文献１では、起立状態において鏡板の位置をより高くする工夫がなされてはいる。図６に示す本発明の第２の使用形態に相当する。
【０００４】
【特許文献１】特開平９−２２０１４１号公報（図１）
【発明の開示】
【発明が解決しようとする課題】
【０００５】
特許文献１のスタンド鏡によれば、鏡板を一定の高さ位置にまではセットできるが、使用者が楽な姿勢で自らの顔を映すにはまだ高さが不十分である。
【０００６】
そこで、本発明の目的は、机上に置いたときに、使用者が楽な姿勢で自らの顔を映して見るのに十分な高さに、鏡板を持ち上げてセットできる携帯用鏡を提供することにある。本発明の目的は、鏡板の高さ調節が容易でありながらも、不使用時にはコンパクト化を図れ、持ち運びに適する携帯用鏡を提供することにある。
【課題を解決するための手段】
【０００７】
本発明の携帯用鏡は、これを代表的な実施例を参照しながら具体的に説明すると、図１および図２に示すごとく、前後厚みが小さくて上面６が開口する扁平な角形の中空ケースに形成された台部材１と、机上に台部材１を後傾の起立姿勢に受け止めるために、台部材１の下端に回動自在に枢結された受け部材２と、台部材１に対して、台部材１の内部に納まる退入姿勢と、台部材１の上方に引き上げられた突出姿勢との間にわたって上下動自在に装備された支持部材３と、前面に鏡板４を有する鏡枠５とからなる。
【０００８】
支持部材３の上端には、鏡枠５の下端が開閉操作可能に連結されている。これにより、鏡枠５は支持部材３の前側に倒した姿勢と、支持部材３の上方に起立する姿勢とにわたって切り換えることができる。
【０００９】
そのうえで、台部材１の前面に受け部材２が折り畳み可能であり、支持部材３を退入姿勢にした状態において、鏡枠５が台部材１の前面に折り畳んだ受け部材２上に折り重ね可能である。
【００１０】
不使用時ないし携帯時には、図３および図４に示すごとく寝かせた台部材１上に受け部材２ついで鏡枠５を重ね合わせ、全体をコンパクトに折り畳んでおける。このとき、鏡板４は鏡枠５の下面に位置し、他物と接触することなく保護されている。
【００１１】
使用に際しては、第１に台部材１を机上に置き、図５に示すごとく鏡枠５のみを上方に起こして、従来の折り畳み式鏡と同様にする。この場合、支持部材３に対して鏡枠５は節度を以て回動自在に連結することにより、台部材１に対して鏡枠５を任意の角度にセットすることができる。
【００１２】
第２に、図６に示すごとく台部材１に対して受け部材２を後ろ側に回動し、受け部材２を机上に受け止めた状態で台部材１を後傾姿勢に起立させる。具体的には、台部材１の下端が受け部材２に受け止められて、台部材１は後傾の起立姿勢に維持されている。換言すれば、台部材１が後傾の起立姿勢にあるとき、受け部材２の上方への回動限界が規制されたものとなっている。
【００１３】
第３に、先の第２の使用形態から支持部材３を台部材１上に引き上げ、図１に示すごとく支持部材３上に鏡枠５を起立状態にセットすることにより、支持部材３の引き上げ分だけ鏡枠５の高さを更に持ち上げる。
【００１４】
第３の使用形態から元の図２の状態に戻すには、台部材１内に支持部材３を引き下げて退入姿勢にし、台部材１の前面側にこれに重なるよう受け部材２を回動操作したのち、鏡枠５を鏡板４が下向きになるよう回動して受け部材２上に重ね合わせる。
【発明の効果】
【００１５】
かかる本発明によれば、起立姿勢にした台部材１上に支持部材３をこれが上方に突出するよう位置させることにより、支持部材３が突出する分だけ、支持部材３上にある鏡枠５の高さを引き上げることができる。従って、使用者は楽な姿勢で自らの顔を鏡板４に映して見ることができる。
【発明を実施するための最良の形態】
【００１６】
図１ないし図６は本発明に係る携帯用鏡の実施例を示しており、台部材１と、受け部材２と、支持部材３と、前面に鏡板４を備えた四角形の鏡枠５とからなる。
【００１７】
台部材１は、いずれもがプラスチック製の後ろケース１ａと前ケース１ｂとを前後に重ね合わせることにより、前後厚みが小さくて上面６が開口する扁平な縦長四角形状の中空ケースに形成されており、前ケース１ｂの左右に補強壁７・７が上下間にわたって一体に設けられている。
【００１８】
受け部材２は、四角形のプラスチック板からなり、台部材１における左右の補強壁７・７間の下端に横向きの枢軸９を介して回動自在に連結されており、台部材１の前面の補強壁７・７間に接合する不使用姿勢と、台部材１の後方に位置する使用姿勢とにわたって枢軸９まわりに回動操作できる。
【００１９】
支持部材３は、縦長四角形のプラスチック板からなり、台部材１の中空内部にこれの開口上面６側から差し込み装着され、台部材１に対して上下動自在に支持されている。支持部材３はこれの左右端が台部材１の中空内部の左右側面に摺接し、この摺接抵抗で支持部材３が、台部材１上において任意の上下高さ位置に維持される。支持部材３は、これの下端に設けた係止突起１０で台部材１から抜け外れるのが規制されている。
【００２０】
支持部材３の上端には、受け片１１が前方に向けて一体に突出形成されており、この受け片１１の前端に鏡枠５の下端が横軸１２を介して回動自在に枢結されている。これにより、鏡枠５は支持部材３の前側に倒れる姿勢と、支持部材３の上方に起立する姿勢とにわたって回動操作できる。
【００２１】
鏡枠５は支持部材３に節度を以て枢結することにより、支持部材３上に鏡枠５を起立させた状態において、鏡枠５を任意の角度に維持できる。但し、鏡枠５の下端を受け片１１で受け止めることにより、鏡枠５の後方への回動限界を接当規制しており、支持部材３上において鏡枠５をやや後傾の起立姿勢にセットすることができる。
【００２２】
図３および図４は、携帯用鏡を折り畳んだ不使用ないし携帯時の状態を示しており、先ず台部材１の前側上面に受け部材２を接合し、次いで台部材１内に支持部材３を完全に退入させた状態で鏡枠５を受け部材２上に重ね合わせてある。このとき、鏡板４は鏡枠５の下面に位置して外部に露出しておらず、鏡板４が塵埃の付着や他物との接触から保護されている。
【００２３】
本発明に係る携帯用鏡において鏡板４を下段位置で使用するときには、図５に示すごとく台部材１を寝かせた状態で机上に置き、受け部材２は台部材１の前面上側に重ねたまま、鏡枠５のみを横軸１２まわりに上開き回動する。これで鏡枠５は任意の角度で起立姿勢に維持されるので、角度を調整しながら鏡板４をのぞき見ることになる。
【００２４】
鏡板４を中段位置にセットして使用するときは、図６に示すごとく受け部材２を台部材１の後方に回動操作する。このとき受け部材２の回動基端（前端）側が台部材１の下端に受け止められて、受け部材２の後方への回動限界が接当規制される。かくして、机上に受け部材２を介して台部材１を所定の後傾姿勢に起立させる。そのうえで鏡枠５を上開き回動し、台部材１の上方に鏡枠５を後傾姿勢に起立させ、鏡板４をのぞき見ることになる。
【００２５】
鏡板４を上段位置にセットして使用するときは、図６の状態から支持部材３を台部材１の上方に引き出す。図１は台部材１上に支持部材３を上方限界まで最大限に引き上げた状態を示す。支持部材３の引き上げ量は任意に調整できる。そのうえで、支持部材３の上方に鏡枠５を上開き回動して起立状態にセットし、鏡板４をのぞき見ることになる。このとき、鏡枠５は水平面に対して後傾姿勢になるようにすれば、受け部材２上に鏡枠５を安定よく高位置で支持することができる。
【００２６】
図１の上段使用形態から元の図３の状態に戻すには、台部材１に対して、これの中空内部に納まるように支持部材３を下方にスライド操作する。受け部材２は後方から前側上方に回動操作し、台部材１の前側上面に受け部材２を接合する。この状態で鏡枠５の下端は前記受け片１１の前端側（図４において上端側）に枢結されているので、鏡枠５を横軸１２まわりに前方へ回動操作し、受け部材２上に鏡枠５を重ね合わせる。これで全体がコンパクトに折り畳まれた状態になる。
【００２７】
（別実施例）  受け部材２および支持部材３は、図示側の平板状にするに代え、角枠状にしてもよく、その形状は問わない。とくに支持部材３は、左右の脚とこの両脚の上端どうしをつなぐ受け片１１とからなる門型にすることができる。これらの場合において、台部材１は必ずしも中空ケースに形成されていることを要しない。
【００２８】
図１において受け部材２は、これの後端に支え部材を回動自在に付設し、支え部材を起こしてこれの上端を台部材１の後面上端に掛け止めることにより、受け部材２で台部材１を確りと机上に起立させるようにしてもよい。その他、台部材１の後面の上端に受け部材２の上端を回動自在に枢結し、不使用時には台部材１の後面に受け部材２を折り重ねた状態にし、使用時には受け部材２の下端を台部材１の後方に開脚した状態にして台部材１を起立姿勢に維持できるようにしてもよい。
【００２９】
本発明は、支持部材３に対して鏡枠５が節度なく自由に回動自在であってもよく、その場合は図５の使用状態において鏡枠５は手で支えるものであってもよい。
【図面の簡単な説明】
【００３０】
【図１】鏡枠が最上段に位置する使用状態での斜視図
【図２】携帯用鏡の構成部材の分解斜視図
【図３】鏡枠を折り畳んだ状態での斜視図
【図４】鏡枠を折り畳んだ状態での縦断側面図
【図５】鏡枠が下段に位置する使用状態での斜視図
【図６】鏡枠が中段に位置する使用状態での斜視図
【符号の説明】
【００３１】
１  台部材
２  受け部材
３  支持部材
４  鏡板
５  鏡枠
【図１】
2005152085.tif 000003
【図２】
2005152085.tif 000004
【図３】
2005152085.tif 000005
【図４】
2005152085.tif 000006
【図５】
2005152085.tif 000007
【図６】
2005152085.tif 000008